(57)【要約】【課題】  スイッチ機能とストッパ機能との一体化を図り、使用時に誤操作による電源のオフを防ぐようにする。【解決手段】  第１、第２ケース１、２を閉じたときに、第１ケース１の２つのストッパ突起部１２が、第２ケース２の２つのストッパ接点部１３にそれぞれ当接して第１、第２ケース１、２を位置規制すると共に、各ストッパ接点部１３がそれぞれ電気信号を出力する。従って、スイッチ機能とストッパ機能との一体化を図ることができる。また、第１、第２ケース１、２を閉じたときに各ストッパ突起部１２が各ストッパ接点部１３をほぼ同時に押圧し、各ストッパ接点部１３から出力された各電気信号に基づいてＣＰＵが電源のオフ制御する。このため、第１、第２ケース１、２を閉じるだけの簡単な操作で電源をオフにできるほか、第１、第２ケース１、２を開いて使用しているときに、２つのストッパ接点部１３のいずれかが誤って押圧されても、電源のオフを防ぐことができる。【選択図】        図７
2006067265.tif 000002
【特許請求の範囲】
【請求項１】
第１ケースと第２ケースとをヒンジ部によって回動可能に連結し、このヒンジ部を中心に前記第１、第２ケースが回動して開閉する電子機器において、
前記第１、第２ケースを閉じたときに前記第２ケースに対向する前記第１ケースの対向面の複数個所に一体的に設けられた複数のストッパ突起部と、
前記第１、第２ケースを閉じたときに前記第１ケースに対向する前記第２ケースの対向面の複数個所に前記複数のストッパ突起部に対応して設けられ、且つ前記複数のストッパ突起部によって押されてそれぞれ電気信号を出力すると共に前記第１、第２ケースの相互の接触を前記複数のストッパ突起部と共に規制する複数のストッパ接点部と、
前記第１、第２ケースを閉じたときに前記複数のストッパ突起部によって前記複数のストッパ接点部がほぼ同時に押されてそれぞれ出力した前記複数の電気信号に基づいて電源をオフ制御する制御部と
を備えたことを特徴とする電子機器。
【請求項２】
前記制御部は、前記第１、第２ケースを開いて前記複数のストッパ突起部が前記複数のストッパ接点部から相対的に離れたときに、前記複数のストッパ接点部からそれぞれ出力された複数の電気信号に基づいて電源をオン制御することを特徴とする請求項１に記載の電子機器。
【請求項３】
前記複数のストッパ突起部は、前記第１ケースの前記対向面における前記ヒンジ部から離れた複数個所に設けられ、前記複数のストッパ接点部は、前記第２ケースの前記対向面における前記ヒンジ部から離れた複数個所に前記複数のストッパ突起部に対応して設けられていることを特徴とする請求項１または２に記載の電子機器。
【請求項４】
前記複数のストッパ突起部と前記複数のストッパ接点部とのうち、少なくとも前記複数のストッパ接点部は弾性部材で構成されていることを特徴とする請求項１〜３のいずれかに記載の電子機器。
【請求項５】
前記第１ケースには表示部が前記第２ケースに対向して設けられ、前記第２ケースにはキーボードが前記第１ケースに対向して設けられ、前記複数のストッパ接点部は前記キーボードに一体に設けられていることを特徴とする請求項１〜４のいずれかに記載の電子機器。
【発明の詳細な説明】
【技術分野】
【０００１】
この発明は、電子辞書、携帯電話機、ＰＤＡ（パーソナル・デジタル・アシスタント）などの携帯型の電子機器に関する。
【背景技術】
【０００２】
例えば、携帯電話機などの電子機器においては、操作性を向上させるため、電話機本体に開閉蓋を開閉自在に取り付け、この電話機本体にフックスイッチを設けると共に、開閉蓋に操作部をフックスイッチに対応させて設けることにより、開閉蓋の開閉動作に応じて操作部がフックスイッチをオン・オフするように構成したものがある。この場合、操作部は、開閉蓋に固定された固定部と、この固定部内に出没可能に設けられた可動部と、この可動部を固定部内から押し出す方向に付勢する付勢部材とで構成されている。
【特許文献１】特開平０９−００８６９１号公報
【発明の開示】
【発明が解決しようとする課題】
【０００３】
しかしながら、このような従来の電子機器では、電話機本体のフックスイッチを操作する操作部が、開閉蓋に固定された固定部と、この固定部内に出没可能に設けられた可動部と、この可動部を固定部内から押し出す方向に付勢する付勢部材とで構成されているため、操作部の部品点数が多く、操作部の構造が複雑であるばかりか、開閉蓋を閉じたときに、開閉蓋が電話機本体に接触するのを防ぐためのストッパ部材を別に設ける必要があり、このためスイッチ機能とストッパ機能との両方の設置スペースが必要になり、他の電子部品の配置が制約を受けるなどの問題がある。
【０００４】
この場合、特に開閉蓋の操作部は、可動部が付勢部材によって固定部から押し出される方向に付勢され、開閉蓋を閉じたときに可動部がフックスイッチを押圧操作する構成であるから、電話機本体に対し開閉蓋を開いた状態のときに、可動部が開閉蓋の表面から突出する突出高さが高くなり、このため使用時に操作部の可動部が邪魔になるばかりか、操作部を破損しやすいという問題がある。
【０００５】
また、このような従来の電子機器では、１つのフックスイッチを電話機本体の一個所に設けた構成であるから、電話機本体に対し開閉蓋を開いて使用しているときに、１つのフックスイッチが誤って押されると、電源が突然オフになり、入力中のデータや電子回路が破壊されるという問題もある。
【０００６】
この発明が解決しようとする課題は、簡単な構造で破損しにくく、スイッチ機能とストッパ機能との一体化を図って省スペース化を図り、使用時に誤操作による電源のオフを防ぐことができる電子機器を提供することである。
【課題を解決するための手段】
【０００７】
この発明は、上記課題を解決するために、次のような構成要素を備えている。
なお、各構成要素には、後述する実施形態の項で説明される各要素に付されている図面の参照番号などを括弧と共に付す。
【０００８】
請求項１に記載の発明は、図１〜図１０に示すように、第１ケース（１）と第２ケース（２）とをヒンジ部（３）によって回動可能に連結し、このヒンジ部を中心に前記第１、第２ケースが回動して開閉する電子機器において、前記第１、第２ケースを閉じたときに前記第２ケースに対向する前記第１ケースの対向面の複数個所に一体的に設けられた複数のストッパ突起部（１２）と、前記第１、第２ケースを閉じたときに前記第１ケースに対向する前記第２ケースの対向面の複数個所に前記複数のストッパ突起部に対応して設けられ、且つ前記複数のストッパ突起部によって押されてそれぞれ電気信号を出力すると共に前記第１、第２ケースの相互の接触を前記複数のストッパ突起部と共に規制する複数のストッパ接点部（１３）と、前記第１、第２ケースを閉じたときに前記複数のストッパ突起部によって前記複数のストッパ接点部がほぼ同時に押されてそれぞれ出力した前記複数の電気信号に基づいて電源をオフ制御する制御部（ＣＰＵ２０）とを備えたことを特徴とする電子機器である。
【０００９】
請求項２に記載の発明は、図１〜図１０に示すように、前記第１、第２ケース（１、２）を開いて前記複数のストッパ突起部（１２）が前記複数のストッパ接点部（１３）から相対的に離れたときに、前記制御部（ＣＰＵ２０）が、前記複数のストッパ接点部からそれぞれ出力された複数の電気信号に基づいて電源をオン制御することを特徴とする請求項１に記載の電子機器である。
【００１０】
請求項３に記載の発明は、図１〜図７に示すように、前記複数のストッパ突起部（１２）が、前記第１ケース（１）の前記対向面における前記ヒンジ部（３）から離れた複数個所に設けられ、前記複数のストッパ接点部（１３）が、前記第２ケース（２）の前記対向面における前記ヒンジ部から離れた複数個所に前記複数のストッパ突起部に対応して設けられていることを特徴とする請求項１または２に記載の電子機器である。
【００１１】
請求項４に記載の発明は、図１〜図７に示すように、前記複数のストッパ突起部（１２）と前記複数のストッパ接点部（１３）とのうち、少なくとも前記複数のストッパ接点部が弾性部材（ゴムシート７）で構成されていることを特徴とする請求項１〜３のいずれかに記載の電子機器である。
【００１２】
請求項５に記載の発明は、図１〜図１０に示すように、前記第１ケース（１）には表示部（４）が前記第２ケース（２）に対向して設けられ、前記第２ケースにはキーボード（５）が前記第１ケースに対向して設けられ、前記複数のストッパ接点部が前記キーボードに一体に設けられていることを特徴とする請求項１〜４のいずれかに記載の電子機器である。
【発明の効果】
【００１３】
請求項１に記載の発明によれば、第１、第２ケースを閉じたときに、第１ケースの複数個所に一体的に設けられた複数のストッパ突起部が、第２ケースの複数個所に設けられた複数のストッパ接点部にそれぞれ当接して押圧することにより、複数のストッパ接点部がそれぞれ電気信号を出力すると共に、第１、第２ケースが互いに接触しないように第１、第２ケースを複数のストッパ突起部と共に位置規制するので、簡単な構造で、スイッチ機能とストッパ機能とを一体化することができる。
【００１４】
このため、従来例のように、フックスイッチと操作部とからなるスイッチ機能と、第１、第２ケースの接触を防ぐためのストッパ機能とを別々に設ける必要がないので、従来例に比べて部品点数を削減することができると共に、設置スペースをも小さくすることができるほか、他の電子部品の配置が制約を受けるのを軽減することができると共に、第１、第２ケースを閉じた状態で携帯しても、第１、第２ケースが互いに傷付けないようにすることができる。
【００１５】
この場合、複数のストッパ突起部が第１ケースの複数個所に一体的に設けられた構造で、従来例のような可動機構からなる構造でないため、構造が簡単で、破損しにくいものを得ることができる。特に、ストッパ突起部が第１ケースにほぼ半球状で、第１ケースの表面からの突出量が小さく形成されていれば、より一層、破損しにくいばかりか、第１、第２ケースを開いて使用するときにストッパ突起部が邪魔にならず、良好に使用することができる。
【００１６】
また、第１、第２ケースを閉じたときには、複数のストッパ突起部が複数のストッパ接点部に当接して複数のストッパ接点部をほぼ同時に押圧し、これにより複数のストッパ接点部がそれぞれ電気信号を出力し、これら複数のストッパ接点部からそれぞれ出力された複数の電気信号に基づいて制御部が電源のオフ制御するので、第１、第２ケースを閉じるだけの簡単な操作で、複数のストッパ突起部が複数のストッパ接点部をほぼ同時に押圧して電源を確実にオフにすることができる。
【００１７】
この場合、特に第１、第２ケースを開いて使用しているときに、複数のストッパ接点部のうち、いずれかのストッパ接点部が誤って押圧されても、電源がオフになるのを確実に防ぐことができ、このため突然の電源オフにより入力中のデータや内部の電子回路が破壊されるのを防ぐことができ、これにより安心して使用することができると共に、使い勝手の良いものを得ることができる。
【００１８】
請求項２に記載の発明によれば、第１、第２ケースを開いて複数のストッパ突起部が複数のストッパ接点部から相対的に離れたときに、制御部が複数のストッパ接点部からそれぞれ出力された複数の電気信号に基づいて電源をオン制御することにより、使用するときに、第１、第２ケースを開くだけの簡単な操作で、確実に電源のオン状態を可能にすることができ、これによっても操作性の良いものを得ることができるほか、特に第１、第２ケースを開いて使用しているときに、請求項１に記載の発明と同様、複数のストッパ接点部のうち、いずれかのストッパ接点部が誤って押圧されても、電源がオフになるのを確実に防ぐことができ、これによっても入力中のデータや内部の電子回路の破壊を防ぎ、安心して使用することができる。
【００１９】
請求項３に記載の発明によれば、複数のストッパ突起部が第１ケースの対向面におけるヒンジ部から離れた複数個所に設けられ、複数のストッパ接点部が第２ケースの対向面におけるヒンジ部から離れた複数個所に複数のストッパ突起部と対応して設けられていることにより、第１、第２ケースをほぼ完全に閉じたときに、複数のストッパ突起部が複数のストッパ接点部に当接して複数のストッパ接点部を押圧するため、第１、第２ケースを閉じた状態で第１、第２ケースが互いに圧接する方向に押されても、第１、第２ケースが互いに接触しないように第１、第２ケースを複数のストッパ突起部と複数のストッパ接点部とによって確実に位置規制することができ、これにより複数のストッパ突起部と複数のストッパ接点部とによるストッパ機能を十分に発揮することができ、ストッパ効果の高いものを得ることができる。
【００２０】
請求項４に記載の発明によれば、複数のストッパ突起部と複数のストッパ接点部とのうち、少なくとも複数のストッパ接点部が弾性部材で構成されていることにより、第１、第２ケースを互いに閉じて複数のストッパ突起部と複数のストッパ接点部とが互いに当接するときに、クッション性が得られ、第１、第２ケースを良好に閉じることができると共に、第１、第２ケースを閉じた状態で、第１、第２ケースに衝撃が加わっても、弾性部材からなる複数のストッパ接点部によって衝撃を吸収することができ、これにより耐衝撃性の高いものを得ることができる。
【００２１】
請求項５に記載の発明によれば、第１ケースに表示部が第２ケースと対向して設けられ、第２ケースにキーボードが第１ケースと対向して設けられ、複数のストッパ接点部がキーボードに一体に設けられていることにより、ストッパ接点部を独立した別部品として製作する必要がないので、その製作が容易で、より一層、部品点数を削減することができると共に、組み立て作業性の向上を図り、低価格化をも図ることができる。
【発明を実施するための最良の形態】
【００２２】
以下、図１〜図１０を参照して、この発明の電子機器を電子辞書に適用した実施形態について説明する。
図１はこの発明の電子辞書を開いて使用する状態の斜視図、図２は図１の平面図、図３は図２の側面図、図４は図２の電子辞書を閉じた状態の平面図、図５は図４の側面図、図６は図４のＡ−Ａ矢視において電子辞書を閉じる直前の状態を示した要部の拡大断面図、図７は図６において電子辞書を閉じた状態を示した要部の拡大断面図である。
この電子辞書は、図１〜図５に示すように、第１ケース１と第２ケース２とを備え、これら第１ケース１と第２ケース２とをヒンジ部３によって回動可能に連結し、このヒンジ部３を中心に第１、第２ケース１、２が相対的に回動して開閉することにより、折り畳み可能な構成になっている。
【００２３】
第１ケース１は、図１および図２に示すように、全体がほぼ長方形の平板状に形成され、第２ケース２に対向する対向面側に表示パネル４がその表示面を露出させた状態で設けられた構成になっている。この場合、表示パネル４は、液晶表示素子やＥＬ素子（エレクトロルミネセンス素子）などの平面型の表示素子からなり、電気光学的に情報を表示するように構成されている。第２ケース２は、第１ケース１とほぼ同じ形状で同じ大きさに形成され、第１ケース１に対向する対向面側にキーボード５が設けられた構成になっている。
【００２４】
キーボード５は、図６および図７に示すように、第２ケース２内に配置された回路基板６と、この回路基板６上に配置されたゴムシート７とからなり、このゴムシート７に図１および図２に示すように文字キー、カーソルキー、機能キー、および電源キー８ａなどの電子辞書に必要な各種のキー８を膨出形成した構成になっている。また、第２ケース２のヒンジ部３側に位置する左右両側面のうち、右側面には、図１および図２に示すように、イヤホン端子９ａが設けられており、左側面には、ＵＳＢ端子などの接続端子９ｂが設けられている。
【００２５】
ヒンジ部３は、図１〜図５に示すように、第１ケース１の一方の長辺部（図２では下側に位置する長辺部）における両側に設けられた一対の第１円筒部１０と、これに対向する第２ケース２の長辺部（図２では上側に位置する長辺部）における中間部分に設けられた第２円筒部１１とを備え、第１ケース１の一対の第１円筒部１０間に第２ケース２の第２円筒部１１を配置させた状態で、第１円筒部１０と第２円筒部１１とを連結軸（図示せず）によって回動可能に連結した構成になっている。この場合、ヒンジ部３における一対の第１円筒部１０のうち、一方の第１円筒部１０内には第１、第２ケース１、２を電気的に接続するためのフレキシブルな配線基板（図示せず）が設けられている。
【００２６】
また、ヒンジ部３における他方の第１円筒部１０内には、図３に示すように、第１、第２ケース１、２を任意の角度に開いた状態で保持するためのチルト機構（図示せず）が設けられている。これにより、この電子辞書は、ヒンジ部３を中心に第１、第２ケース１、２を互いに離れる方向に回動させると、図１〜図３に示すように、第１、第２ケース１、２が互いに開いてチルト機構により任意の角度に保持され、またヒンジ部３を中心に第１、第２ケース１、２を互いに接近する方向に回動させると、図４および図５に示すように、第１ケース１の表示パネル４と第２ケース２のキーボード５とが互いに対向して第１、第２ケース１、２が互いに重なり合って閉じるように構成されている。
【００２７】
ところで、第２ケース２に対向する第１ケース１の対向面におけるヒンジ部３と反対側に位置する長辺部の両側近傍には、図１および図２に示すように、ストッパ突起部１２がそれぞれ設けられている。また、第１ケース１に対向する第２ケース２の対向面におけるヒンジ部３と反対側に位置する長辺部の両側近傍には、ストッパ接点部１３がそれぞれ複数のストッパ突起部１２に対向して設けらている。第１ケース１のストッパ突起部１２は、図６および図７に示すように、第１ケース１の外周部の高さとほぼ同じ高さで、第１ケース１の対向面にほぼ半球形状に一体に形成されている。
【００２８】
また、ストッパ接点部１３は、図６および図７に示すように、キーボード５の回路基板６上に配置されたゴムシート７に当接部１４を膨出形成した構成になっている。すなわち、このストッパ接点部１３は、キーボード５のゴムシート７に膨出形成された当接部１４が第２ケース２の貫通孔１５内に内側から外側に向けて挿入され、この挿入された当接部１４の上端面が第２ケース２の対向面にキー８の上端面とほぼ同じか、それよりも少し低くい状態で配置され、この当接部１４の上端面にストッパ突起部１２が当接して当接部１４が押圧されると、図７に示すように、当接部１４が弾性変形するように構成されている。
【００２９】
この場合、ストッパ接点部１３は、当接部１４の下面に設けられた可動接点１６が回路基板６上に設けられた一対の固定接点１７に接離可能に離間対向し、この状態で当接部１４がストッパ突起部１２で押圧されて弾性変形したときに、可動接点１６が一対の固定接点１７に接触して一対の固定接点１７を導通させることにより、電気信号（導通信号）を出力するように構成されている。
【００３０】
また、このストッパ接点部１３は、当接部１４の可動接点１６と回路基板６上の一対の固定接点１７との離間距離が短く形成され、これによりゴムシート７に膨出形成された当接部１４の弾性変形量が小さくなるように形成されていると共に、ストッパ突起部１２による押圧量を小さくしてストッパ突起部１２を受け止める当接力を高めて、第１、第２ケース１、２が互いに接触しないように、第１、第２ケース１、２をストッパ突起部１２と共に位置規制するように構成されている。
【００３１】
これにより、ストッパ突起部１２とストッパ接点部１３とは、スイッチ機能とストッパ機能との両方を兼ね備えた構成になっている。すなわち、ストッパ突起部１２とストッパ接点部１３とは、図６および図７に示すように、第１、第２ケース１、２が閉じてストッパ突起部１２がストッパ接点部１３を押圧すると、ストッパ接点部１３から電気信号を出力することにより、ストッパ突起部１２がスイッチの操作部として機能すると共に、ストッパ接点部１３がスイッチとして機能するように構成されている。
【００３２】
また、ストッパ突起部１２とストッパ接点部１３とは、図７に示すように、ストッパ突起部１２がストッパ接点部１３を押圧してストッパ接点部１３が電気信号を出力したときに、ストッパ接点部１３の当接部１４の弾性変形が停止すると共に、その弾性変形量が少なく、ストッパ接点部１３がストッパ突起部１２を受け止めるため、第１、第２ケース１、２が互いに接触せずに、僅かな隙間を有して第１、第２ケース１、２を位置規制することにより、第１、第２ケース１、２が相互に接触するのを防ぐストッパとして機能するように構成されている。
【００３３】
次に、この電子辞書の回路構成について、図８に示すブロック図を参照して説明する。
この図において、２０はＣＰＵ（中央演算処理装置）である。このＣＰＵ２０は第１、第２スイッチ２１、２２がオン状態のときに電源回路２３からの電源の供給を断ち、第１、第２スイッチ２１、２２がオフ状態のときに電源回路２３から電源を供給可能な状態にし、キーボード５の電源キー８ａがオンされると、電源回路２３から電源を供給し、ＲＯＭ２４に記憶されたプログラムに基づいて回路全般を制御する。また、ＣＰＵ２０は、キーボード５のデータ入力用の各種のキー８が操作されると、そのキー操作に応じてデータが入力され、この入力されたデータに基づいて表示部４に情報を表示すると共にＲＡＭ２５にそのデータを記憶する。
【００３４】
この場合、第１、第２スイッチ２１、２２のうち、第１スイッチ２１は、第２ケース２の両側にそれぞれ設けられた２つのストッパ接点部１３のいずれか一方であり、第２スイッチ２２は２つのストッパ接点部１３のいずれか他方である。これら第１、第２スイッチ２１、２２は、第１、第２ケース１、２を閉じて第２ケース２の２つのストッパ接点部１３が第１ケース１の２つのストッパ突起部１２によってそれぞれほぼ同時に押されたときに、それぞれオン状態になり、オン信号をそれぞれ出力し、また第１、第２ケース１、２を開いて第１ケース１の各ストッパ突起部１２が第２ケース２の各ストッパ接点部１３からそれぞれ離れたときに、それぞれオフ状態になり、オフ信号をそれぞれ出力するように構成されている。
【００３５】
次に、電源オフ制御処理について、図９に示す動作フローに基づいて説明する。
この電源オフ制御処理は、電子辞書を開いて使用している状態、つまり電子辞書がオン状態（検索表示処理実行中）で割込み処理を行う。この処理では、まず、キーボード５の電源キー８ａが押されたかを判断し（ステップＳ１）、電源キー８ａが押されると、表示部４の表示状態、キーボード５の操作状態をＲＡＭ２５に保存し（ステップＳ２）、電源回路２３を電源オフ状態（低電圧モード）にし（ステップＳ３）、ＣＰＵ２０が電源オフ状態（スタンバイモード）にし（ステップＳ４）、この割込み処理を終了してメインフローに戻る。
【００３６】
また、ステップＳ１で電源キー８ａが押されていなければ、第１、第２ケース１、２が閉じられて第１スイッチ２１が押された状態であるかを判断し（ステップＳ５）、第１スイッチ２１が押されていなければ、第１、第２ケース１、２が開いていると判断し、電子辞書が使用継続可能な状態であるから、この処理を終了してメインフローに戻る。また、このステップＳ５で、第１スイッチ２１が押されていると、第２スイッチ２２が押された状態であるかを判断する（ステップＳ６）。
【００３７】
このステップＳ６で、第１スイッチ２１が押されて第２スイッチ２２が押されていなければ、誤操作と判断し、電子辞書が使用継続可能な状態であるから、この処理を終了してメインフローに戻る。また、このステップＳ６で、第１、第２ケース１、２が閉じられて第１スイッチ２１と共に第２スイッチ２２も押されていると、ステップＳ２に進んでキーボード５の操作状態をＲＡＭ２５に保存し、ステップＳ３に進んで電源回路２３を電源オフ状態（低電圧モード）にし、ステップＳ４に進んでＣＰＵ２０を電源オフ状態（スタンバイモード）にし、この割込み処理を終了してメインフローに戻る。
【００３８】
次に、電源オン制御処理について、図１０に示す動作フローに基づいて説明する。
この電源オン制御処理は、電子辞書が閉じられて使用されていない状態、つまり電子辞書がオフ状態（電源が低電圧モードでＣＰＵがスタンバイモードのとき）で割込み処理を行う。この処理では、まず、第１、第２ケース１、２が開いているかを判断する。すなわち、第１スイッチ２１がオフ状態であるかを判断し（ステップＳ１０）、第１スイッチ２１がオフ状態でなければ、第１、第２ケース１、２が閉じた状態であると判断し、この処理を終了してメインフローに戻る。
【００３９】
また、ステップＳ１０で第１スイッチ２１がオフ状態であると、第２スイッチ２２がオフ状態であるかを判断する（ステップＳ１１）。このステップＳ１１で、第２スイッチ２２がオフ状態でなければ、誤動作と判断し、この処理を終了してメインフローに戻る。また、このステップＳ１１で第２スイッチ２２がオフ状態であると、第１、第２スイッチ２１、２２の両方がオフ状態となるため、第１、第２ケース１、２が開いていると判断し、電子辞書が使用可能な状態であると判断する。
【００４０】
この状態で、キーボード５の電源キー８ａが押されたかを判断し（ステップＳ１２）、電源キー８ａが押されていなければ、電子辞書を使用しないと判断し、この処理を終了してメインフローに戻る。また、このステップＳ１２で電源キー８ａが押されると、電源回路２３を電源オン状態（通常の電圧モード）にし（ステップＳ１３）、ＣＰＵ２０が電源オン状態（検索表示処理実行中）にし（ステップＳ１４）、表示部４の表示状態およびキーボード５の操作状態をＲＡＭ２５から読み出して動作制御データにセットし（ステップＳ１５）、電子辞書を使用可能な状態にし、この割込み処理を終了してメインフローに戻る。
【００４１】
このように、この電子辞書によれば、図４および図５に示すように、第１、第２ケース１、２を閉じたときに、図７に示すように、第１ケース１に設けられた２つのストッパ突起部１２が、第２ケース２に設けられた２つのストッパ接点部１３にそれぞれ当接して各ストッパ接点部１３を押圧すると、２つのストッパ接点部１３がそれぞれ電気信号を出力すると共に、第１、第２ケース１、２が互いに接触しないように、第１、第２ケース１、２を２つのストッパ突起部１２と２つのストッパ接点部１３とによって位置規制するので、簡単な構造で、第１ケース１に設けられた２つのストッパ突起部１２と、第２ケース２に設けられた２つのストッパ接点部１３とによって、スイッチ機能とストッパ機能との一体化を図ることができる。
【００４２】
このため、従来例のように、フックスイッチと操作部とからなるスイッチ機能と、第１、第２ケース１、２の接触を防ぐためのストッパ機能とを別々に設ける必要がないので、従来例に比べて部品点数を削減することができると共に、設置スペースをも小さくすることができる。これにより、イヤホン端子９ａやＵＳＢ端子などの接続端子９ｂなどの他の電子部品の配置が制約を受けないようにすることができると共に、第１、第２ケース１、２を閉じた状態で携帯しても、第１ケース１と第２ケース２とが互いに接触することがないので、第１ケース１およびその表示部４と、第２ケース２およびそのキーボード５とが互いに傷付け合わないようにすることができる。
【００４３】
この場合、ストッパ突起部１２は第１ケース１にほぼ半球状に一体に形成され、ストッパ接点部１３はその当接部１４の上端面が第２ケース２の対向面からキー８の上端面とほぼ同じか、それよりも低くい状態で配置されているので、使用時にストッパ突起部１２およびストッパ接点部１３が邪魔になったり、破損したりすることがなく、耐久性に優れたものを得ることができる。特に、ストッパ突起部１２は第１ケース１に一体に設けられ、且つストッパ接点部１３は第２ケース２に設けられたキーボード５に一体に形成されているので、ストッパ突起部１２およびストッパ接点部１３を別部品として製作する必要がなく、その製作が容易にでき、これにより、より一層、部品点数を削減することができると共に、組み立て作業性の向上を図り、低価格化をも図ることができる。
【００４４】
また、この電子辞書では、第１、第２ケース１、２を閉じたときに、２つのストッパ突起部１２が２つのストッパ接点部１３にそれぞれ当接して各ストッパ接点部１３をほぼ同時に押圧し、これにより２つのストッパ接点部１３がそれぞれ電気信号（導通信号）を出力し、これらストッパ接点部１３からそれぞれ出力された２つの電気信号に基づいてＣＰＵ２０が電源回路２３をオフ制御するので、第１、第２ケース１、２を閉じるだけの簡単な操作で、電源を確実にオフにすることができ、これにより操作性が良く、使い勝手の良いものを得ることができる。
【００４５】
また、第１、第２ケース１、２を開き、各ストッパ突起部１２が各ストッパ接点部１３から離れたときには、ＣＰＵ２０が各ストッパ接点部１３からそれぞれ出力された２つの電気信号（非導通信号）に基づいて電源回路２３をオン制御するので、使用するときに、第１、第２ケース１、２を開くだけの簡単な操作で確実に電源のオン状態を可能することができ、これによっても操作性の良いものを得ることができる。この場合、特に第１、第２ケース１、２を開いて使用しているときに、２つのストッパ接点部１３のうち、いずれかのストッパ接点部１３が誤って押圧されても、ＣＰＵ２０によって電源がオフになるのを防ぐことができ、このため突然の電源オフにより入力中のデータや内部の電子回路が破壊されるのを防ぐことができ、これにより安心して使用することができると共に、使い勝手の良いものを得ることができる。
【００４６】
また、２つのストッパ突起部１２が第１ケース１の対向面におけるヒンジ部３から離れた個所に設けられ、２つのストッパ接点部１３が第２ケース２の対向面におけるヒンジ部３から離れた個所に各ストッパ突起部１２と対応して設けられていることにより、第１、第２ケース１、２をほぼ完全に閉じたときに、各ストッパ突起部１２が各ストッパ接点部１３に当接して各ストッパ接点部１３を押圧するため、第１、第２ケース１、２を閉じた状態で第１、第２ケース１、２が互いに圧接する方向に押されても、第１ケース１と第２ケース２とが互いに接触しないように第１、第２ケース１、２を各ストッパ突起部１２と各ストッパ接点部１３とによって確実に位置規制することができ、これにより各ストッパ突起部１２と各ストッパ接点部１３とによるストッパ機能を十分に発揮することができ、ストッパ効果の高いものを得ることができる。
【００４７】
さらに、２つのストッパ突起部１２と２つのストッパ接点部１３とのうち、ストッパ接点部１３の当接部１４が、ゴムシート７を膨出形成した弾性部材で構成されていることにより、第１、第２ケース１、２を互いに閉じて２つのストッパ突起部１２と２つのストッパ接点部１３とが互いに当接するときに、クッション性が得られ、第１、第２ケース１、２を良好に閉じることができると共に、第１、第２ケース１、２を閉じた状態で、第１、第２ケース１、２に衝撃が加わっても２つのストッパ接点部１３における各当接部１４が弾性部材によって衝撃を吸収することができ、これにより耐衝撃性の高いものを得ることができる。
【００４８】
なお、上記実施形態では、ストッパ突起部１２とストッパ接点部１３とをそれぞれ２組ずつ設けた場合について述べたが、これに限らず、３組以上ずつ設けた構造でも良い。このように構成すれば、より一層、安全性の高いものを得ることができる。
また、上記実施形態では、ストッパ突起部１２を第１ケース１に一体に形成したが、これに限らず、ストッパ突起部１２をゴムなどの弾性材料で形成して第１ケース１に一体的に固定した構造でも良い。このように構成すれば、ストッパ突起部１２とストッパ接点部１３との両者が弾性材料であるから、より一層、クッション性の高いものを得ることができる。
【００４９】
さらに、上記実施形態では、電子機器として、電子辞書に適用した場合について述べたが、必ずしも電子辞書である必要はなく、携帯電話機やＰＤＡ（パーソナル・デジタル・アシスタント）などの電子機器にも適用することができる。
【図面の簡単な説明】
【００５０】
【図１】この発明を適用した電子辞書を開いて使用する状態の斜視図である。
【図２】図１の平面図である。
【図３】図２の側面図である。
【図４】図２の電子辞書を閉じた状態の平面図である。
【図５】図４の側面図である。
【図６】図４のＡ−Ａ矢視において第１、第２ケースを閉じる直前の状態を示した要部の拡大断面図である。
【図７】図６において第１、第２ケースを閉じた状態を示した要部の拡大断面図である。
【図８】図１の電子辞書の回路構成を示したブロック図である。
【図９】図８の電子辞書における電源オフ制御処理の動作フローを示した図である。
【図１０】図８の電子辞書における電源オン制御処理の動作フローを示した図である。
【符号の説明】
【００５１】
１  第１ケース
２  第２ケース
３  ヒンジ部
４  表示部
５  キーボード
６  回路基板
７  ゴムシート
８  キー
８ａ  電源キー
９ａ  イヤホン端子
９ｂ  接続端子
１２  ストッパ突起部
１３  ストッパ接点部
１４  当接部
１６  可動接点
１７  固定接点
２０  ＣＰＵ
２１  第１スイッチ
２２  第２スイッチ
２３  電源回路
２４  ＲＯＭ
２５  ＲＡＭ
【図１】
2006067265.tif 000003
【図２】
2006067265.tif 000004
【図３】
2006067265.tif 000005
【図４】
2006067265.tif 000006
【図５】
2006067265.tif 000007
【図６】
2006067265.tif 000008
【図７】
2006067265.tif 000009
【図８】
2006067265.tif 000010
【図９】
2006067265.tif 000011
【図１０】
2006067265.tif 000012